(57)【要約】【課題】作動油を漏らすことなく油面計を容易に取り外すことができる油圧エレベータの油面計取り外し治具を提供する。【解決手段】油圧エレベータの油面計取り外し治具は、棒状に形成された取手部と、前記取手部の先端に取り付けられ、オイルタンクの一側面の外部から油面計と前記オイルタンクの一側面とを貫通したボルトの先端がねじ込まれるナットに合わせて形成された凹部を有し、当該凹部で前記ナットを保持した際に前記ナットを覆った状態で前記オイルタンクの一側面の内側に磁力で密着する保持部と、を備えた。【選択図】図４
2015151198.tif 000002
【特許請求の範囲】
【請求項１】
棒状に形成された取手部と、
前記取手部の先端に取り付けられ、オイルタンクの一側面の外部から油面計と前記オイルタンクの一側面とを貫通したボルトの先端がねじ込まれるナットに合わせて形成された凹部を有し、当該凹部で前記ナットを保持した際に前記ナットを覆った状態で前記オイルタンクの一側面の内側に磁力で密着する保持部と、
を油圧エレベータの油面計取り外し治具。
【請求項２】
前記保持部は、前記取手部の先端部がねじ込まれ得るように形成された複数のねじ部を備えた外周面を有した請求項１に記載の油圧エレベータの油面計取り外し治具。
【請求項３】
前記取手部は、
複数の棒状体と、
隣接した棒状体の端部を連結し、隣接した棒状体の互いの角度を切り替えて保持し得るように形成された関節体と、
を備えた請求項１または請求項２に記載の油圧エレベータの油面計取り外し治具。
【発明の詳細な説明】
【技術分野】
【０００１】
この発明は、油圧エレベータの油面計取り外し治具に関する。
【背景技術】
【０００２】
例えば、特許文献１には、油圧エレベータが記載されている。当該油圧エレベータは、パワーユニットを備える。パワーユニットは、オイルタンク、油面計等を備える。
【０００３】
例えば、油面計は、ナットとボルトとによりオイルタンクに取り付けられる。ナットは、オイルタンクの内部に配置される。ボルトは、オイルタンクの外部から油面計の端部とオイルタンクの側面を貫通してナットにねじ込まれる。油面計は、清掃時にオイルタンクから取り外される。
【先行技術文献】
【特許文献】
【０００４】
【特許文献１】特開２００５−２５５２９３号公報
【発明の概要】
【発明が解決しようとする課題】
【０００５】
しかしながら、オイルタンクの内部において、ナットは作動油に漬かっている。このため、作動油を漏らすことなく油面計を取り外すことが困難である。
【０００６】
この発明は、上述の課題を解決するためになされた。この発明の目的は、作動油を漏らすことなく油面計を容易に取り外すことができる油圧エレベータの油面計取り外し治具を提供することである。
【課題を解決するための手段】
【０００７】
この発明に係る油圧エレベータの油面計取り外し治具は、棒状に形成された取手部と、前記取手部の先端に取り付けられ、オイルタンクの一側面の外部から油面計と前記オイルタンクの一側面とを貫通したボルトの先端がねじ込まれるナットに合わせて形成された凹部を有し、当該凹部で前記ナットを保持した際に前記ナットを覆った状態で前記オイルタンクの一側面の内側に磁力で密着する保持部と、を備えた。
【発明の効果】
【０００８】
この発明によれば、作業者は、取手部を操作して、保持部の凹部でナットを保持すればよい。この際、オイルタンクの内部の作動油は、油面計への進入を保持部に阻止される。このため、作動油を漏らすことなく油面計を容易に取り外すことができる。
【図面の簡単な説明】
【０００９】
【図１】この発明の実施の形態１における油圧エレベータの油面計取り外し治具を適用する油圧エレベータの構成図である。
【図２】この発明の実施の形態１における油圧エレベータの油面計取り外し治具を適用する油圧エレベータのパワーユニットの正面図である。
【図３】この発明の実施の形態１における油圧エレベータの油面計取り外し治具を適用する油圧エレベータの油面計の縦断面図である。
【図４】この発明の実施の形態１における油圧エレベータの油面計取り外し治具を用いて油面計を取り外す際の正面図である。
【図５】この発明の実施の形態１における油圧エレベータの油面計取り外し治具を前方から見た際の正面図である。
【図６】この発明の実施の形態１における油圧エレベータの油面計取り外し治具の側面図である。
【図７】この発明の実施の形態１における油圧エレベータの油面計取り外し治具を後方から見た際の正面図である。
【図８】この発明の実施の形態２における油圧エレベータの油面計取り外し治具における要部の正面図である。
【図９】この発明の実施の形態３における油圧エレベータの油面計取り外し治具を用いて油面計を取り外す際の正面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における油圧エレベータの油面計取り外し治具を適用する油圧エレベータの構成図である。
【００１２】
図１において、油圧エレベータの昇降路１は、建築物の各階を貫くように形成される。シリンダ２は、昇降路１の底部に設けられる。プランジャ３は、シリンダ２の内部に挿入される。シーブ４は、プランジャ３の上端に取り付けられる。主ロープ５は、シーブ４に巻き掛けられる。主ロープ５の一側は、昇降路１の底部に固定される。主ロープ５の他側は、かご６を支持する。かご６の両側は、ガイドレール７に支持される。
【００１３】
機械室８は、昇降路１の底部の奥側に設けられる。パワーユニット９は、機械室８に設けられる。油圧配管１０は、プランジャ３とパワーユニット９とを接続する。制御盤１１は、機械室８に設けられる。制御盤１１は、パワーユニット９に電気的に接続される。
【００１４】
油圧エレベータにおいて、制御盤１１は、パワーユニット９を制御する。当該制御により、パワーユニット９は、油圧配管１０を介してシリンダ２内の作動油の量を調整する。プランジャ３は、シリンダ２内の作動油の量に応じて昇降する。シーブ４は、プランジャ３の昇降に追従して昇降する。主ロープ５は、シーブ４の昇降に追従して移動する。かご６は、主ロープ５の移動に追従して昇降する。この際、かご６は、ガイドレール７に案内される。
【００１５】
次に、図２を用いて、パワーユニット９を説明する。
図２はこの発明の実施の形態１における油圧エレベータの油面計取り外し治具を適用する油圧エレベータのパワーユニットの正面図である。
【００１６】
図２に示すように、パワーユニット９は、オイルタンク９ａ、油面計９ｂ等を備える。例えば、オイルタンク９ａは、金属で形成される。オイルタンク９ａは、作動油を貯蔵する。例えば、油面計９ｂは、オイルタンクの一側面に取り付けられる。油面計９ｂは、オイルタンク９ａの油面を表示する。
【００１７】
次に、図３を用いて、油面計９ｂの詳細を説明する。
図３はこの発明の実施の形態１における油圧エレベータの油面計取り外し治具を適用する油圧エレベータの油面計の縦断面図である。
【００１８】
図３に示すように、油面計９ｂの下部は、第１ナット１２ａと第１ボルト１３ａとによりオイルタンク９ａの一側面に取り付けられる。第１ナット１２ａは、オイルタンク９ａの内部に配置される。第１ナット１２ａは、図示しない穴を備える。第１ボルト１３ａは、オイルタンク９ａの外部から油面計９ｂの下部とオイルタンクの一側面を貫通して第１ナット１２ａにねじ込まれる。第１ボルト１３ａは、図示しない穴を備える。
【００１９】
油面計９ｂの上部は、第２ナット１２ｂと第２ボルト１３ｂとによりオイルタンク９ａの一側面に取り付けられる。第２ナット１２ｂは、オイルタンク９ａの内部に配置される。第２ナット１２ｂは、図示しない穴を備える。第２ボルト１３ｂは、オイルタンク９ａの外部から油面計９ｂの上部とオイルタンク９ａの一側面を貫通して第２ナット１２ｂにねじ込まれる。第２ボルト１３ｂは、図示しない穴を備える。
【００２０】
例えば、かご６が最下階に位置する際、オイルタンク９ａ内の油面は、高くなる。この際、第１ナット１２ａ、第１ボルト１３ａ、第２ナット１２ｂ、第２ボルト１３ｂは、作動油に浸かる。
【００２１】
この場合、作動油は、第１ナット１２ａの穴と第１ボルト１３ａの穴とを介して油面計９ｂの下部に流れ込む。作動油は、第２ナット１２ｂの穴と第２ボルト１３ｂの穴とを介して油面計９ｂの上部に流れ込む。この際、油面計９ｂは、オイルタンク９ａの油面を表示しない。
【００２２】
例えば、かご６が最上階に位置する際、オイルタンク９ａ内の油面は、低くなる。この際、第１ナット１２ａ、第１ボルト１３ａは、作動油に浸かる。これに対し、第２ナット１２ｂ、第２ボルト１３ｂは、作動油に浸からない。
【００２３】
この場合、作動油は、第１ナット１２ａの穴と第１ボルト１３ａの穴とを介して油面計９ｂの下部に流れ込む。作動油は、第２ナット１２ｂの穴と第２ボルト１３ｂの穴とを介して油面計９ｂの上部に流れ込まない。この際、油面計９ｂは、オイルタンク９ａの油面を表示する。
【００２４】
次に、図４を用いて、油面計９ｂを取り外す方法を説明する。
図４はこの発明の実施の形態１における油圧エレベータの油面計取り外し治具を用いて油面計を取り外す際の正面図である。
【００２５】
油面計９ｂがオイルタンク９ａから取り外される際、かご６は、最上階に移動される。その結果、第１ナット１２ａ、第１ボルト１３ａは、作動油に浸かる。これに対し、第２ナット１２ｂ、第２ボルト１３ｂは、作動油に浸からない。この状態で、作業者は、オイルタンク９ａの上方から油面計取り外し治具１４を用いて油面計９ｂをオイルタンク９ａから取り外す。
【００２６】
油面計取り外し治具１４は、取手部１４ａ、保持部１４ｂを備える。例えば、取手部１４ａは、棒状に形成される。例えば、取手部１４ａは、金属で形成される。保持部１４ｂは、取手部１４ａの先端に固定される。例えば、保持部１４ｂは、円柱状に形成される。例えば、保持部１４ｂは、磁石で形成される。
【００２７】
取手部１４ａは、作業者により操作される。保持部１４ｂは、オイルタンク９ａの内部において第１ナット１２ａの全体を覆う。この際、保持部１４ｂの正面部は、オイルタンク９ａの一側面の内側に磁力で密着する。その結果、オイルタンク９ａ内の作動油は、油面計９ｂへの進入を保持部１４ｂにより阻止される。その後、第１ボルト１３ａが取り外される。その後、第２ボルト１３ｂが取り外される。
【００２８】
次に、図５を用いて、油面計取り外し治具１４の保持部１４ｂの正面部を説明する。
図５はこの発明の実施の形態１における油圧エレベータの油面計取り外し治具を前方から見た際の正面図である。
【００２９】
図５に示すように、保持部１４ｂの正面部は、凹部１４ｃを備える。凹部１４ｃは、第１ナット１２ａの形状に合わせて形成される。例えば、凹部１４ｃは、正面から見た際に正六角形状となるように形成される。
【００３０】
次に、図６を用いて、油面計取り外し治具１４の保持部１４ｂの側面部を説明する。
図６はこの発明の実施の形態１における油圧エレベータの油面計取り外し治具の側面図である。
【００３１】
図６に示すように、保持部１４ｂの側面部は、凹部等を備えない。このため、保持部１４ｂの側面部は、凹部１４ｃとつながる空間を有さない。
【００３２】
次に、図７を用いて、油面計取り外し治具１４の保持部１４ｂの背面部を説明する。
図７はこの発明の実施の形態１における油圧エレベータの油面計取り外し治具を後方から見た際の正面図である。
【００３３】
図７に示すように、保持部１４ｂの背面部は、凹部等を備えない。このため、保持部１４ｂの背面部は、凹部１４ｃとつながる空間を有さない。
【００３４】
以上で説明した実施の形態１によれば、作業者は、取手部１４ａを操作して、保持部１４ｂの凹部１４ｃで第１ナット１２ａを保持すればよい。この際、オイルタンク９ａの内部の作動油は、油面計９ｂへの進入を保持部１４ｂにより阻止される。このため、作動油を漏らすことなく油面計９ｂを容易に取り外すことができる。
【００３５】
実施の形態２．
図８はこの発明の実施の形態２における油圧エレベータの油面計取り外し治具における要部の正面図である。なお、実施の形態１の部分と同一又は相当部分には同一符号が付される。当該部分の説明は省略される。
【００３６】
実施の形態１において、保持部１４ｂは、取手部１４ａの先端に固定される。実施の形態２において、保持部１４ｂは、取手部１４ａの先端部に着脱自在に取り付けられる。保持部１４ｂは、複数のねじ部１４ｄを備える。例えば、保持部１４ｂは、５つのねじ部１４ｄを備える。複数のねじ部１４ｄは、保持部１４ｂの外周面に均等の間隔で形成される。複数のねじ部１４ｄは、取手部１４ａの先端部がねじ込まれ得るように形成される。
【００３７】
以上で説明した実施の形態２によれば、保持部１４ｂは、複数のねじ部１４ｄが形成された外周面を有する。このため、取手部１４ａの角度を容易に変更することができる。
【００３８】
実施の形態３．
図９はこの発明の実施の形態３における油圧エレベータの油面計取り外し治具を用いて油面計を取り外す際の正面図である。なお、実施の形態１または実施の形態２の部分と同一又は相当部分には同一符号が付される。当該部分の説明は省略される。
【００３９】
実施の形態３の油面計取り外し治具１４は、実施の形態１の油面計取り外し治具１４において取手部１４ａを屈曲自在にしたものである。実施の形態３において、取手部１４ａは、複数の棒状体１４ｅと少なくとも一つの関節体１４ｆとを備える。
【００４０】
例えば、複数の棒状体１４ｅは、金属で形成される。例えば、少なくとも一つの関節体１４ｆは、金属で形成される。関節体１４ｆは、隣接した棒状体１４ｅの端部を連結する。関節体１４ｆは、隣接した棒状体１４ｅの互いの角度を切り替えて保持し得るように形成される。
【００４１】
以上で説明した実施の形態３によれば、関節体１４ｆは、隣接した棒状体１４ｅの互いの角度を切り替えて保持し得る。このため、作業者は、油面計９ｂの取り付け位置等に応じて取手部１４ａの操作位置を柔軟に変更することができる。
【符号の説明】
【００４２】
１  昇降路、  ２  シリンダ、  ３  プランジャ、  ４  シーブ、  ５  主ロープ、  ６  かご、  ７  ガイドレール、  ８  機械室、  ９  パワーユニット、  ９ａ  オイルタンク、  ９ｂ  油面計、  １０  油圧配管、  １１  制御盤、  １２ａ  第１ナット、  １２ｂ  第２ナット、  １３ａ  第１ボルト、  １３ｂ  第２ボルト、  １４  油面計取り外し治具、  １４ａ  取手部、  １４ｂ  保持部、  １４ｃ  凹部、  １４ｄ  ねじ部、  １４ｅ  棒状体、  １４ｆ  関節体
【図１】
2015151198.tif 000003
【図２】
2015151198.tif 000004
【図３】
2015151198.tif 000005
【図４】
2015151198.tif 000006
【図５】
2015151198.tif 000007
【図６】
2015151198.tif 000008
【図７】
2015151198.tif 000009
【図８】
2015151198.tif 000010
【図９】
2015151198.tif 000011